(57)【特許請求の範囲】
【請求項１】
柱と床梁と天井梁を箱形に接合した建物ユニットを隣接設置して構築されるユニット建物において、４個の建物ユニットそれぞれに定めた少なくとも１個の柱省略コーナー部を柱省略接合部にて互いに突き合せ配置し、柱省略接合部の一方側にて相隣る２個の建物ユニットの天井梁間から、他方側にて相隣る２個の建物ユニットの天井梁間に渡る補強梁を隣接ユニット間隙に設けてなり、建物ユニットが、柱省略コーナー部以外のコーナー部では、相交差する天井梁及び床梁を柱に接合し、柱省略コーナー部では、相交差する天井梁及び床梁を短柱に接合して構成され、補強梁の中央部は、前記４個の建物ユニットの各柱省略コーナー部で、短柱に接続されてなり、補強梁の上端部を天井梁の上に突出して延在してなることを特徴とするユニット建物。
【請求項２】
柱と床梁と天井梁を箱形に接合した建物ユニットを隣接設置して構築されるユニット建物において、３個の建物ユニットそれぞれに定めた少なくとも１個の柱省略コーナー部を柱省略接合部にて互いに突き合せ配置し、柱省略接合部の一方側にて相隣る２個の建物ユニットの天井梁間から、他方側の建物ユニットの天井梁側に渡る補強梁を隣接ユニット間隙に設けてなり、建物ユニットが、柱省略コーナー部以外のコーナー部では、相交差する天井梁及び床梁を柱に接合し、柱省略コーナー部では、相交差する天井梁及び床梁を短柱に接合して構成され、補強梁の中央部は、前記３個の建物ユニットの各柱省略コーナー部で、短柱に接続されてなり、補強梁の上端部を天井梁の上に突出して延在してなることを特徴とするユニット建物。
【請求項３】
柱と床梁と天井梁を箱形に接合した建物ユニットを隣接設置して構築されるユニット建物において、２個の建物ユニットそれぞれに定めた少なくとも１個の柱省略コーナー部を柱省略接合部にて互いに突き合せ配置し、他の１個の建物ユニットをそれら２個の建物ユニットの柱省略接合部を含む同一面内で該柱省略接合部の両側に渡るように隣接配置し、柱省略接合部の一方側にて相隣る他の１個の建物ユニットと一方側の建物ユニットとの２個の建物ユニットの天井梁間から、他方側にて相隣る他の１個の建物ユニットと他方側の建物ユニットとの２個の建物ユニットの天井梁間に渡る補強梁を隣接ユニット間隙に設けてなり、建物ユニットが、柱省略コーナー部以外のコーナー部では、相交差する天井梁及び床梁を柱に接合し、柱省略コーナー部では、相交差する天井梁及び床梁を短柱に接合して構成され、補強梁の中央部は、前記２個の建物ユニットの各柱省略コーナー部で、短柱に接続されるとともに、前記他の１個の建物ユニットの天井梁中間部とも接続されてなり、補強梁の上端部を天井梁の上に突出して延在してなることを特徴とするユニット建物。
【請求項４】
柱と床梁と天井梁を箱形に接合した建物ユニットを隣接設置して構築されるユニット建物において、２個の建物ユニットそれぞれに定めた少なくとも１個の柱省略コーナー部を柱省略接合部にて互いに突き合せ配置し、柱省略接合部の一方側の建物ユニットの天井梁側から、他方側の建物ユニットの天井梁側に渡る補強梁を設け、建物ユニットが、柱省略コーナー部以外のコーナー部では、相交差する天井梁及び床梁を柱に接合し、柱省略コーナー部では、相交差する天井梁及び床梁を短柱に接合して構成され、補強梁の中央部は、前記２個の建物ユニットの各柱省略コーナー部で、短柱に接続されてなり、補強梁の上端部を天井梁の上に突出して延在してなることを特徴とするユニット建物。
【請求項５】
前記ユニット建物が、柱省略コーナー部を有する前記複数の建物ユニットを下階建物ユニットとし、この下階建物ユニットの上に複数の上階建物ユニットを搭載され、隣接する上階建物ユニットの一方側の上階建物ユニットの天井梁側から、他方側の上階建物ユニットの天井梁側に渡る上階補強梁を設け、上階補強梁の中央部が、上階建物ユニットの柱の内、下階の柱省略接合部の上の各柱のそれぞれに接続されてなることを特徴とする請求項１〜４のいずれか１項に記載のユニット建物。
【請求項６】
前記ユニット建物が、柱省略コーナー部を有する前記複数の建物ユニットを下階建物ユニットとし、この下階建物ユニットの上に複数の上階建物ユニットを搭載され、前記複数の上階建物ユニットも柱省略コーナー部を有し、上階の柱省略接合部の一方側の上階建物ユニットの天井梁側から、他方側の上階建物ユニットの天井梁側に渡る上階補強梁を設け、上階補強梁の中央部には、複数の上階建物ユニットの各柱省略コーナー部が接続されてなることを特徴とする請求項１〜４のいずれか１項に記載のユニット建物。
【請求項７】
柱と床梁と天井梁を箱形に接合した建物ユニットを隣接設置して構築されるユニット建物において、複数の建物ユニットそれぞれに定めた少なくとも１個の柱省略コーナー部を柱省略接合部にて互いに突き合せ配置し、この柱省略コーナー部を有する前記複数の建物ユニットを下階建物ユニットとし、下階建物ユニットが、柱省略コーナー部以外のコーナー部では、相交差する天井梁及び床梁を柱に接合し、柱省略コーナー部では、相交差する天井梁及び床梁を短柱に接合して構成され、この下階建物ユニットの上に複数の上階建物ユニットを搭載され、隣接する上階建物ユニットの一方側の上階建物ユニットの天井梁側から、他方側の上階建物ユニットの天井梁側に渡る上階補強梁を設け、上階補強梁の中央部が、上階建物ユニットの柱の内、下階の柱省略接合部の上の各柱のそれぞれに接続されてなることを特徴とするユニット建物。
【請求項８】
柱省略接合部の一方側の下階建物ユニットの天井梁側から、他方側の下階建物ユニットの天井梁側に渡る下階補強梁を設け、下階補強梁の中央部には、複数の下階建物ユニットの各柱省略コーナー部が接続されてなることを特徴とする請求項７記載のユニット建物。
【請求項９】
請求項１〜８のいずれかに記載のユニット建物の構築方法において、柱が省略される建物ユニットとして、柱省略コーナー部に仮柱を着脱自在としてなるものを用い、建物ユニットに補強梁を接続完了するまでは仮柱を設けておき、補強梁の接続完了後に仮柱を取外すことを特徴とするユニット建物の構築方法。
【請求項１０】
柱と床梁と天井梁を箱形に接合した建物ユニットを隣接設置して構築されるユニット建物において、２個の建物ユニットそれぞれに定めた少なくとも１個の柱省略コーナー部を柱省略接合部にて互いに突き合せ配置し、他の１個の建物ユニットをそれら２個の建物ユニットの柱省略接合部を含む同一面内で該柱省略接合部の両側に渡るように隣接配置し、建物ユニットが、柱省略コーナー部以外のコーナー部では、相交差する天井梁及び床梁を柱に接合し、柱省略コーナー部では、相交差する天井梁及び床梁を短柱に接合して構成され、柱省略接合部の左右の一方側にて相隣る２個の建物ユニットの各柱が補強板を介して高力ボルト接合され、柱省略接合部の左右の他方側にて相隣る２個の建物ユニットの各柱が補強板を介して高力ボルト接合され、２個の建物ユニットの各柱省略コーナー部と１個の建物ユニットの天井梁中間部とが補強板を介して高力ボルト接合されることを特徴とするユニット建物。
【発明の詳細な説明】
【０００１】
【発明の属する技術分野】
本発明はユニット建物とその構築方法に関する。
【０００２】
【従来の技術】
一般に、ユニット建物は、柱と床梁と天井梁を箱形に接合した建物ユニットを隣接設置して構築される。従って、一般のユニット建物では、各建物ユニットの４個のコーナー部に必ず柱があり、結果として、複数の建物ユニットのコーナー部を互いに突き合せ配置したユニット建物の中央部には必ず柱（複数本の柱）が立ち、柱に遮られることのない広く連続した居室空間を形成することができない。
【０００３】
これに対し、建物ユニットの突き合せ部で柱を省略し得るユニット建物として、特開平４−１３６３４１号公報（従来例１）、或いは特開平６−１８５１２２号公報（従来例２）に記載のものがある。
【０００４】
従来例１は、建物ユニットに定めた１個の柱省略コーナー部に仮柱を設けておき、２個の建物ユニットの仮柱部分を互いに突き合せ配置した後、それらの仮柱を取外す。そして、２個の建物ユニットの仮柱を取外された突き合せ部の両側に位置する柱に、それら柱間に架け渡されている天井梁の下方に沿って延在する補強フレームを架設するものである。
【０００５】
従来例２は、４個の建物ユニットそれぞれに定めた１個の柱省略コーナー部のそれぞれに仮柱を設けておき、それら４個の建物ユニットの仮柱部分を互いに突き合せ配置し、その柱省略接合部で相交差する４個の天井梁を１個の補強連結具により一体に連結し、その後、それらの仮柱を取外す。
【０００６】
【発明が解決しようとする課題】
然しながら、従来例１には、以下の如くの問題点がある。
（ａ）仮柱を取外してからでないと、補強フレームを架設できない。このため、仮柱を取外してから補強フレームを架設完了するまでの間、建物ユニットの強度が極端に低下し、天井梁が仮柱を取外された柱省略コーナー部から崩落する虞れがある。即ち、施工性が悪い。
【０００７】
（ｂ）補強フレームが天井梁の下方に沿って延在する。従って、補強フレームが天井梁の下に突き出るものとなり、梁下天井高が低くなる。
【０００８】
また、従来例２には、以下の如くの問題点がある。
（ａ）４個の建物ユニットの突き合せ部で柱を省略し、その柱省略接合部で相交差する天井梁を補強連結具により一体に連結するに過ぎない。このため、このユニット建物の天井構造強度は、相隣る建物ユニットの相接する２個の天井梁の断面性能の和以上のものとすることができない。従って、柱省略した天井スパンの拡大に限界があり、柱省略した広い連続空間の拡張に限界がある。
【０００９】
本発明の課題は、ユニット建物において、梁下天井高を低くすることなく、柱省略した広い連続空間を形成し、施工性も良好とすることにある。
【００１０】
【課題を解決するための手段】
請求項１に記載の本発明は、柱と床梁と天井梁を箱形に接合した建物ユニットを隣接設置して構築されるユニット建物において、４個の建物ユニットそれぞれに定めた少なくとも１個の柱省略コーナー部を柱省略接合部にて互いに突き合せ配置し、柱省略接合部の一方側にて相隣る２個の建物ユニットの天井梁間から、他方側にて相隣る２個の建物ユニットの天井梁間に渡る補強梁を隣接ユニット間隙に設けてなり、建物ユニットが、柱省略コーナー部以外のコーナー部では、相交差する天井梁及び床梁を柱に接合し、柱省略コーナー部では、相交差する天井梁及び床梁を短柱に接合して構成され、補強梁の中央部は、前記４個の建物ユニットの各柱省略コーナー部で、短柱に接続されてなり、補強梁の上端部を天井梁の上に突出して延在してなることを特徴とするユニット建物である。
【００１１】
請求項２に記載の本発明は、柱と床梁と天井梁を箱形に接合した建物ユニットを隣接設置して構築されるユニット建物において、３個の建物ユニットそれぞれに定めた少なくとも１個の柱省略コーナー部を柱省略接合部にて互いに突き合せ配置し、柱省略接合部の一方側にて相隣る２個の建物ユニットの天井梁間から、他方側の建物ユニットの天井梁側に渡る補強梁を隣接ユニット間隙に設けてなり、建物ユニットが、柱省略コーナー部以外のコーナー部では、相交差する天井梁及び床梁を柱に接合し、柱省略コーナー部では、相交差する天井梁及び床梁を短柱に接合して構成され、補強梁の中央部は、前記３個の建物ユニットの各柱省略コーナー部で、短柱に接続されてなり、補強梁の上端部を天井梁の上に突出して延在してなることを特徴とするユニット建物である。
【００１２】
請求項３に記載の本発明は、柱と床梁と天井梁を箱形に接合した建物ユニットを隣接設置して構築されるユニット建物において、２個の建物ユニットそれぞれに定めた少なくとも１個の柱省略コーナー部を柱省略接合部にて互いに突き合せ配置し、他の１個の建物ユニットをそれら２個の建物ユニットの柱省略接合部を含む同一面内で該柱省略接合部の両側に渡るように隣接配置し、柱省略接合部の一方側にて相隣る他の１個の建物ユニットと一方側の建物ユニットとの２個の建物ユニットの天井梁間から、他方側にて相隣る他の１個の建物ユニットと他方側の建物ユニットとの２個の建物ユニットの天井梁間に渡る補強梁を隣接ユニット間隙に設けてなり、建物ユニットが、柱省略コーナー部以外のコーナー部では、相交差する天井梁及び床梁を柱に接合し、柱省略コーナー部では、相交差する天井梁及び床梁を短柱に接合して構成され、補強梁の中央部は、前記２個の建物ユニットの各柱省略コーナー部で、短柱に接続されるとともに、前記他の１個の建物ユニットの天井梁中間部とも接続されてなり、補強梁の上端部を天井梁の上に突出して延在してなることを特徴とするユニット建物である。
【００１３】
請求項４に記載の本発明は、柱と床梁と天井梁を箱形に接合した建物ユニットを隣接設置して構築されるユニット建物において、２個の建物ユニットそれぞれに定めた少なくとも１個の柱省略コーナー部を柱省略接合部にて互いに突き合せ配置し、柱省略接合部の一方側の建物ユニットの天井梁側から、他方側の建物ユニットの天井梁側に渡る補強梁を設け、建物ユニットが、柱省略コーナー部以外のコーナー部では、相交差する天井梁及び床梁を柱に接合し、柱省略コーナー部では、相交差する天井梁及び床梁を短柱に接合して構成され、補強梁の中央部は、前記２個の建物ユニットの各柱省略コーナー部で、短柱に接続されてなり、補強梁の上端部を天井梁の上に突出して延在してなることを特徴とするユニット建物である。
【００１４】
請求項５に記載の本発明は、請求項１〜４のいずれか１項に記載のユニット建物において、前記ユニット建物が、柱省略コーナー部を有する前記複数の建物ユニットを下階建物ユニットとし、この下階建物ユニットの上に複数の上階建物ユニットを搭載され、隣接する上階建物ユニットの一方側の上階建物ユニットの天井梁側から、他方側の上階建物ユニットの天井梁側に渡る上階補強梁を設け、上階補強梁の中央部が、上階建物ユニットの柱の内、下階の柱省略接合部の上の各柱のそれぞれに接続されてなることを特徴とするユニット建物である。
【００１５】
請求項６に記載の本発明は、請求項１〜４のいずれか１項に記載のにおいて、前記ユニット建物が、柱省略コーナー部を有する前記複数の建物ユニットを下階建物ユニットとし、この下階建物ユニットの上に複数の上階建物ユニットを搭載され、前記複数の上階建物ユニットも柱省略コーナー部を有し、上階の柱省略接合部の一方側の上階建物ユニットの天井梁側から、他方側の上階建物ユニットの天井梁側に渡る上階補強梁を設け、上階補強梁の中央部には、複数の上階建物ユニットの各柱省略コーナー部が接続されてなることを特徴とするユニット建物である。
【００１６】
請求項７に記載の本発明は、柱と床梁と天井梁を箱形に接合した建物ユニットを隣接設置して構築されるユニット建物において、複数の建物ユニットそれぞれに定めた少なくとも１個の柱省略コーナー部を柱省略接合部にて互いに突き合せ配置し、この柱省略コーナー部を有する前記複数の建物ユニットを下階建物ユニットとし、下階建物ユニットが、柱省略コーナー部以外のコーナー部では、相交差する天井梁及び床梁を柱に接合し、柱省略コーナー部では、相交差する天井梁及び床梁を短柱に接合して構成され、この下階建物ユニットの上に複数の上階建物ユニットを搭載され、隣接する上階建物ユニットの一方側の上階建物ユニットの天井梁側から、他方側の上階建物ユニットの天井梁側に渡る上階補強梁を設け、上階補強梁の中央部が、上階建物ユニットの柱の内、下階の柱省略接合部の上の各柱のそれぞれに接続されてなることを特徴とするユニット建物である。
請求項８に記載の本発明は、請求項７記載のユニット建物において、柱省略接合部の一方側の下階建物ユニットの天井梁側から、他方側の下階建物ユニットの天井梁側に渡る下階補強梁を設け、下階補強梁の中央部には、複数の下階建物ユニットの各柱省略コーナー部が接続されてなることを特徴とするユニット建物である。
【００１７】
請求項９に記載の本発明は、請求項１〜８のいずれかに記載のユニット建物の構築方法において、柱が省略される建物ユニットとして、柱省略コーナー部に仮柱を着脱自在としてなるものを用い、建物ユニットに補強梁を接続完了するまでは仮柱を設けておき、補強梁の接続完了後に仮柱を取外すことを特徴とするユニット建物の構築方法である。
【００１８】
請求項１０に記載の本発明は、柱と床梁と天井梁を箱形に接合した建物ユニットを隣接設置して構築されるユニット建物において、２個の建物ユニットそれぞれに定めた少なくとも１個の柱省略コーナー部を柱省略接合部にて互いに突き合せ配置し、他の１個の建物ユニットをそれら２個の建物ユニットの柱省略接合部を含む同一面内で該柱省略接合部の両側に渡るように隣接配置し、建物ユニットが、柱省略コーナー部以外のコーナー部では、相交差する天井梁及び床梁を柱に接合し、柱省略コーナー部では、相交差する天井梁及び床梁を短柱に接合して構成され、柱省略接合部の左右の一方側にて相隣る２個の建物ユニットの各柱が補強板を介して高力ボルト接合され、柱省略接合部の左右の他方側にて相隣る２個の建物ユニットの各柱が補強板を介して高力ボルト接合され、２個の建物ユニットの各柱省略コーナー部と１個の建物ユニットの天井梁中間部とが補強板を介して高力ボルト接合されることを特徴とするユニット建物である。
【００１９】
本発明によれば下記（１）  、（２）  の作用がある。
（１）  ユニット建物において、補強梁の中央部には、複数の建物ユニットの各柱省略コーナー部が接続される。従って、このユニット建物の天井構造強度は、建物ユニットの天井梁の断面性能の和に、補強梁の断面性能をも加えたものとなる。このため、柱を省略した天井スパンを大きく拡大し、柱を省略した広い連続空間を形成できる。
【００２０】
（２）  補強梁は、建物ユニットの天井梁に添う如くに設置される。従って、補強梁は天井梁の下に大きく突き出る如くがなく、梁下天井高を低くすることがない。
【００２１】
請求項１〜４に記載の本発明によれば下記（３）  の作用がある。
（３）  建物ユニットの柱省略のための補強梁を、天井梁の上に突出して延在する。従って、柱を省略した建物ユニットの天井構造強度が、補強梁自体の断面性能によって補強される。このため、建物ユニットの柱を省略した天井スパンをより拡大し、柱を省略したより広い連続空間を形成できる。
【００２２】
請求項７に記載の本発明によれば下記（４）  の作用がある。
（４）  上階補強梁がその中央部で、上階建物ユニットの柱の内、下階の柱省略接合部の上の各柱のそれぞれに接続される。従って、相隣る上階建物ユニットが上階補強梁によって一体化されて、その上階建物ユニットの中央部の柱を介して上階床を吊る如くになり、下階建物ユニットの柱省略接合部への上階荷重を低減するものとなる。よって、万一、下階建物ユニットの補強梁と該下階建物ユニットとの接続（高力ボルト等）が切れ、下階建物ユニットの柱省略接合部の天井構造強度が低下しても、上階建物ユニットの床が落ちる如くを防止できる。
【００２３】
請求項５、８に記載の本発明によれば下記（５）  の作用がある。
（５）  下階建物ユニットの天井部に補強梁を設け、上階建物ユニットの天井梁に上階補強梁を設け、上階補強梁が上階建物ユニットの柱の内、下階の柱省略接合部の上の各柱のそれぞれに接続される。従って、相隣る上階建物ユニットが上階補強梁によって一体化されて、その上階建物ユニットの接合部の柱を介して上階床を吊る如くになり、下階建物ユニットの柱省略接合部への上階荷重を低減するものとなる。よって、万一、下階建物ユニットの補強梁と該下階建物ユニットとの接続（高力ボルト等）が切れ、下階建物ユニットの柱省略接合部の天井構造強度が低下しても、上階建物ユニットの床が落ちる如くを防止できる。
【００２４】
請求項６に記載の本発明によれば下記（６）  の作用がある。
（６）  上記（５）  の上階補強梁の断面性能が、上階建物ユニットの天井、床を支えることができるものであれば、上階建物ユニットにおいても柱を省略し、広い連続空間を形成できる。
【００２５】
請求項１に記載の本発明によれば下記（７）  の作用がある。
（７）  ４個の建物ユニットそれぞれに定めた１個の柱省略コーナー部を柱省略接合部にて互いに突き合せ配置してなるユニット建物において、梁下天井高を低くすることなく、柱を省略した広い連続空間を形成できる。
【００２６】
請求項２に記載の本発明によれば下記（８）  の作用がある。
（８）  ３個の建物ユニットそれぞれに定めた１個の柱省略コーナー部を柱省略接合部にて互いに突き合せ配置してなるユニット建物において、梁下天井高を低くすることなく、柱を省略した広い連続空間を形成できる。
【００２７】
請求項３に記載の本発明によれば下記（９）  の作用がある。
（９）  ２個の建物ユニットそれぞれに定めた１個の柱省略コーナー部を柱省略接合部にて互いに突き合わせ配置し、他の１個の建物ユニットをそれら２個の建物ユニットの柱省略接合部を含む同一面内で該柱省略接合部の両側に渡るように隣接配置してなるユニット建物において、梁下天井高を低くすることなく、柱を省略した広い連続空間を形成できる。
【００２８】
請求項９に記載の本発明によれば下記（１０）の作用がある。
（１０）建物ユニットの柱省略コーナー部に設けた仮柱は、該建物ユニットの工場製造段階、輸送保管段階を経た現地据付け後、補強梁の接続完了まで取外されない。従って、補強梁の接続時の建物ユニットの強度を低下せしめることがなく、施工段階の建物強度も十分に確保でき、施工性は良い。
請求項１０に記載の本発明によれば下記（１１）の作用がある。
（１１）２個の建物ユニットそれぞれに定めた少なくとも１個の柱省略コーナー部を柱省略接合部にて互いに突き合せ配置し、他の１個の建物ユニットをそれら２個の建物ユニットの柱省略接合部を含む同一面内で該柱省略接合部の両側に渡るように隣接配置してなるユニット建物において、梁下天井高を低くすることなく、柱を省略した広い連続空間を形成できる。
【００２９】
【発明の実施の形態】
図１はユニット建物と建物ユニットを示す模式図、図２は第１実施形態の下階建物ユニットへの補強梁接続過程を示す模式図、図３は下階補強梁を示す模式図、図４は下階補強構造を示す模式図、図５は下階補強梁の端部接続構造を示す模式図、図６は下階補強梁の中央部接続構造を示す模式図、図７は上階建物ユニットの搭載構造を示す模式図、図８は上階建物ユニットへの補強梁接続過程を示す模式図、図９は上階補強梁を示す模式図、図１０は上階補強梁の作用を示す模式図、図１１は上階補強構造を示す模式図、図１２は補強梁の変形例を示す模式図である。
【００３０】
（ユニット建物と建物ユニット）（図１）
ユニット建物１０は、図１（Ａ）に示す如く、工場生産した複数の標準建物ユニット１１、柱省略建物ユニット１２を建築現場に輸送し、予め設置してある基礎１３の上にて水平、鉛直方向に隣接設置して下階部分１０Ａ、上階部分１０Ｂが構築される。
【００３１】
標準建物ユニット１１は、図１（Ｂ）に示す如く、４本の角鋼管製柱２１と、４本の型鋼製床梁２２と、４本の型鋼製天井梁２３とを箱形に接合した骨組構造体である。建物ユニット１１は、４個のコーナー部で、相交差する床梁２２をジョイントピース２２Ａにより柱２１の下端部に接続し、相交差する天井梁２３をジョイントピース２３Ａにより柱２１の上端部に接合して構成される。
【００３２】
柱省略建物ユニット１２は、図１（Ｃ）に示す如く、標準建物ユニット１１の４本の柱２１のうちの１本の柱２１を省略したものである。柱省略建物ユニット１２は、柱省略コーナー部以外の３個のコーナー部では、相交差する床梁２２をジョイントピース２２Ａにより柱２１の下端部に接合し、相交差する天井梁２３をジョイントピース２３Ａにより柱２１の上端部に接合するとともに、柱省略コーナー部では、相交差する床梁２２をジョイントピース２２Ｂにより短柱２４に接合し、相交差する天井梁２３をジョイントピース２３Ｂにより短柱２５に接合して構成される。そして、柱省略建物ユニット１２では、柱省略コーナー部に仮柱２６を着脱自在としている。仮柱２６は、ボルト、ピン等の着脱手段により、上述の短柱２４と短柱２５とに着脱自在に結合される。
【００３３】
（第１実施形態）（図２〜図１１）
（ユニット建物１０の下階部分１０Ａ）（図２〜図６）
然るに、ユニット建物１０は、下階部分１０Ａの一部にて、図２に示す如く、４個の柱省略建物ユニット１２それぞれの柱省略コーナー部を柱省略接合部１４にて互いに突き合せ載置し、それら４個の柱省略建物ユニット１２によって柱２１に遮られることのない広く連続した居室空間を形成するものとしている。以下、４個の柱省略建物ユニット１２の接合構造について説明する。
【００３４】
ユニット建物１０の下階部分１０Ａにおいて、４個の柱省略建物ユニット１２の柱省略接合部１４は、下階補強梁３０にて補強される。下階補強梁３０は、図３に示す如く、長尺板材からなり、図２、図４に示す如く、柱省略接合部１４の左右の一方側にて相隣る２個の建物ユニット１２の天井梁２３、２３の間から、左右の他方側にて相隣る他の２個の建物ユニット１２の天井梁２３、２３の間に渡って設けられる。図４において、１５は下階天井板、１６は上階床板である。
【００３５】
下階補強梁３０の両端部は、図５に示す如く、柱省略接合部１４の左右の一方側にて相隣る２個の建物ユニット１２の各柱２１と、柱省略接合部１４の他方側にて相隣る２個の建物ユニット１２の各柱２１のそれぞれに接続される。このとき、補強梁３０の両端部は、高力ボルト３１を用いた天井梁２３、ジョイントピース２３Ａとの高力ボルト接合（摩擦接合）を介して柱２１に接続される。
【００３６】
補強梁３０の中央部には、図６に示す如く、４個の建物ユニット１２の各柱省略コーナー部が接続される。このとき、補強梁３０の中央部は、高力ボルト３２を用いた天井梁２３、ジョイントピース２３Ｂとの接合を介して短柱２５に接続される。
【００３７】
補強梁３０が上述の如くにて柱２１、短柱２５に接続されるとき、各建物ユニット１２の柱省略コーナー部には短柱２５に着脱自在の仮柱２６が未だ接合されている。そして、補強梁３０が柱２１、短柱２５に接続完了した後、仮柱２６は短柱２５から取外される。
【００３８】
尚、補強梁３０は、補強梁３０を挟んで相隣る２個の建物ユニット１２、１２の相接する天井梁２３、２３と、ジョイントピース２３Ａ、２３Ｂのない部分でも、ボルト等を用いて接合されて良い。
【００３９】
（ユニット建物１０の下階部分１０Ａへの上階部分１０Ｂの搭載）（図７）
ユニット建物１０は、下階部分１０Ａの上に上階部分１０Ｂを搭載するに際し、下階部分１０Ａの一部を構成している４個の下階柱省略建物ユニット１２の上に４個の上階標準建物ユニット１１を搭載することができる（図７（Ａ））。このとき、４個の上階建物ユニット１１は、４個の下階建物ユニット１２の柱省略コーナー部以外の３個のコーナー部においては上階建物ユニット１１の３個の柱２１の下端面を下階建物ユニット１２の３個の柱２１の上端面に載置して結合し、下階建物ユニット１２の柱省略コーナー部においては上階建物ユニット１１の１個の柱２１の下端面を下階建物ユニット１２の短柱２５の上端面に載置して結合する（図７（Ｂ））。
【００４０】
このとき、図７（Ｃ）に示す如く、４個の下階建物ユニット１２を補強している下階補強梁３０の成の高さを上階建物ユニット１１の相隣る床梁２２、２２の間にまで延在し、下階補強梁３０がこの延在部分で上階建物ユニット１１の床梁２２、ジョイントピース２２Ａにも高力ボルト３３により接続されるものとすることができる。
【００４１】
（下階部分１０Ａの上の上階部分１０Ｂの補強）（図８〜図１０）
４個の下階柱省略建物ユニット１２の上に４個の上階標準建物ユニット１１を上述の如くに搭載したとき、図８に示す如く、下階建物ユニット１２の補強梁３０を設けた天井梁２３、２３間と同一面上に位置する、上階建物ユニット１１の天井梁２３、２３間にも上階補強梁４０を設けることができる。
【００４２】
上階補強梁４０は、図９に示す如く、断面Ｔ字状の如くの長尺Ｔ形材からなり、図１０に示す如く、左右の一方側にて相隣る２個の建物ユニット１１の天井梁２３、２３の間から、左右の他方側にて相隣る２個の建物ユニット１１の天井梁２３、２３の間に渡って設けられる。図１１において、１７は上階天井板である。
【００４３】
上階補強梁４０の両端部、中央部のそれぞれは、図５に示した下階補強梁３０の両端部と同様に、相隣る２個の建物ユニット１１の各柱２１に、高力ボルト４１を用いた天井梁２３、ジョイントピース２３Ａとの接合を介して接続される。
【００４４】
尚、上階補強梁４０は、補強梁４０を挟んで相隣る２個の建物ユニット１１、１１の相接する天井梁２３、２３と、ジョイントピース２３Ａのない部分でも、ボルト等を用いて接合されて良い。
【００４５】
これによれば、相隣る建物ユニット１１が上階補強梁４０によって一体化され、４個の建物ユニット１１の中央部の柱２１を介して上階床を吊る如くになり（図１０（Ｃ））、４個の下階建物ユニット１２の柱省略中央部（柱省略接合部）への上階荷重を低減するものとなる。この上階補強梁４０がない場合には、下階建物ユニット１２の補強梁３０と該下階建物ユニット１２の柱２１、天井梁２３との接続が高力ボルト３１、３２の破断等により切れたとき（図１０（Ａ））、下階建物ユニット１２の柱省略中央部の天井構造強度が低下して、上階建物ユニット１１の床が図１０（Ｂ）に示す如くに落ちる虞れがある。上階補強梁４０を設けることにより、上述の上階建物ユニット１１の床が落ちる如くを防止できる。
【００４６】
（上階部分１０Ｂの他の例）（図１１）
４個の下階柱省略建物ユニット１２の上に搭載される４個の上階建物ユニットは、標準建物ユニット１１でなく柱省略建物ユニット１２であっても良い。このとき、前述の上階補強梁４０の両端部は、図１１に示す如く、左右の一方側にて相隣る２個の上階建物ユニット１２の各柱２１と、左右の他方側にて相隣る２個の上階建物ユニット１２の各柱２１のそれぞれに、高力ボルト４１を用いた天井梁２３、ジョイントピース２３Ａとの接合を介して接続される。そして、上階補強梁４０の中央部は、４個の上階建物ユニット１２の各柱省略コーナー部で、高力ボルト４２を用いた天井梁２３、ジョイントピース２３Ｂとの接合を介して短柱２５に接続される。
【００４７】
尚、上階補強梁４０は、補強梁４０を挟んで相隣る２個の建物ユニット１２、１２の相接する天井梁２３、２３と、ジョイントピース２３Ａ、２３Ｂのない部分でも、ボルト等を用いて接合されて良い。
【００４８】
以下、本実施例の作用について説明する。
（ａ）ユニット建物１０において、補強梁３０の両端部は、柱省略接合部の一方側にて相隣る２個の建物ユニット１２の各柱２１と、柱省略接合部の他方側にて相隣る２個の建物ユニット１２の各柱２１のそれぞれに接続される。そして、補強梁３０の中央部には、４個の建物ユニット１２の各柱省略コーナー部が接続される。従って、このユニット建物１０の天井構造強度は、相隣る建物ユニット１２の相接する２個の天井梁２３、２３の断面性能の和に、補強梁３０の断面性能をも加えたものとなる。このため、柱を省略した天井スパンを大きく拡大し、柱を省略した広い連続空間を形成できる。
【００４９】
（ｂ）補強梁３０は、相隣る建物ユニット１２の相接する２個の天井梁２３、２３の間に挟まれる如くに設置される。従って、補強梁３０は天井梁２３の下に大きく突き出る如くがなく、梁下天井高を低くすることがない。
【００５０】
（ｃ）補強梁３０は、天井梁２３を柱２１、短柱２５に接合するためのジョイントピース２３Ａ、２３Ｂに接合されることにて、それらの柱２１、短柱２５に接続される。従って、補強梁３０を柱２１、短柱２５に接続する構造を簡易且つ確実化できる。
【００５１】
（ｄ）下階建物ユニット１２の柱省略のための補強梁３０を、上階建物ユニット１１の相隣る床梁２２間にまで延在し、その延在部分で上階建物ユニット１１にも接続する。従って、柱省略した下階建物ユニット１２の天井構造強度が、補強梁３０自体の断面性能によって補強されるだけでなく、補強梁３０を介して上階建物ユニット１１の床梁構造強度等によっても補強される。このため、下階建物ユニット１２の柱を省略した天井スパンをより拡大し、柱を省略したより広い連続空間を形成できる。
【００５２】
（ｅ）下階建物ユニット１２の補強梁３０を設けた天井梁２３間と同一面上に位置する、上階建物ユニット１１の天井梁２３間に上階補強梁４０を設け、上階補強梁４０が上階建物ユニット１１の天井梁２３が接合されている各柱２１のそれぞれに接続される。従って、相隣る上階建物ユニット１１が上階補強梁４０によって一体化されて、その４個の上階建物ユニット１１の中央部の柱２１を介して上階床を吊る如くになり、４個の下階建物ユニット１２の柱省略中央部への上階荷重を低減するものとなる。よって、万一、下階建物ユニット１２の補強梁３０と該下階建物ユニット１２との接続（高力ボルト等）が切れ、下階建物ユニット１２の柱省略中央部の天井構造強度が低下しても、上階建物ユニット１１の床が落ちる如くを防止できる。
【００５３】
（ｆ）上記（ｅ）の上階補強梁４０の断面性能が、上階建物ユニット１２の天井、床を支えることができるものであれば、上階建物ユニット１２においても柱を省略し、広い連続空間を形成できる。
【００５４】
（ｇ）建物ユニット１２の柱省略コーナー部に設け仮柱２６は、該建物ユニット１２の工場製造段階、輸送保管段階を経た現地据付け後、補強梁３０、４０の接続完了まで取外されない。従って、補強梁３０、４０の接続時の建物ユニット１２の強度を低下せしめることがなく、施工段階の建物強度も十分に確保でき、施工性は良い。
【００５５】
図１３は第２実施形態のユニット建物を示す模式図、図１４は第３実施形態のユニット建物を示す模式図、図１５は第３実施形態のユニット建物の変形構造を示す模式図、図１６は第４実施形態のユニット建物を示す模式図である。
【００５６】
（第２実施形態）（図１３）
第２実施形態において、ユニット建物１０は、下階部分１０Ａの一部にて、図１３に示す如く、３個の柱省略建物ユニット１２それぞれの柱省略コーナー部を柱省略接合部１４にて互いに突き合せ載置し、それら４個の柱省略建物ユニット１２によって柱２１に遮られることのない広く連続した居室空間を形成するものとしている。以下、３個の柱省略建物ユニット１２の接合構造について説明する。
【００５７】
ユニット建物１０の下階部分１０Ａにおいて、３個の柱省略建物ユニット１２の柱省略接合部１４は、下階補強梁３０にて補強される。下階補強梁３０は、図１３に示す如く、長尺板材からなり、柱省略接合部１４の左右の一方側（右側）にて相隣る２個の建物ユニット１２の天井梁２３、２３の間から、左右の他方側（左側）の建物ユニット１２の天井梁２３に渡って設けられる。
【００５８】
下階補強梁３０の両端部は、図１３に示す如く、柱省略接合部１４の左右の一方側（右側）にて相隣る２個の建物ユニット１２の各柱２１と、柱省略接合部１４の他方側（左側）の建物ユニット１２の柱２１のそれぞれに接続される。このとき、補強梁３０の両端部は、高力ボルト３１を用いた天井梁２３、ジョイントピース２３Ａとの高力ボルト接合（摩擦接合）を介して柱２１に接続される。
【００５９】
補強梁３０の中央部には、図１３に示す如く、３個の建物ユニット１２の各柱省略コーナー部が接続される。このとき、補強梁３０の中央部は、高力ボルト３２を用いた天井梁２３、ジョイントピース２３Ｂとの接合を介して短柱２５に接続される。
【００６０】
補強梁３０が上述の如くにて柱２１、短柱２５に接続されるとき、各建物ユニット１２の柱省略コーナー部には短柱２５に着脱自在の仮柱２６が未だ接合されている。そして、補強梁３０が柱２１、短柱２５に接続完了した後、仮柱２６は短柱２５から取外される。
【００６１】
尚、補強梁３０は、補強梁３０に相接する天井梁２３と、ジョイントピース２３Ａ、２３Ｂのない部分でも、ボルト等を用いて接合されて良い。
【００６２】
尚、第２実施形態のユニット建物１０においても第１実施形態と同様に、（ａ）  下階補強梁の成の高さを上階部分１０Ｂの床梁にまで延在させる構造、（ｂ）  上階部分１０Ｂの天井梁に上階補強梁を設ける構造、（ｃ）  上階部分１０Ｂも柱省略し、その柱省略接合部を上階補強梁により補強する構造を採用できる。
【００６３】
（第３実施形態）（図１４、図１５）
第３実施形態において、ユニット建物１０は、下階部分１０Ａの一部にて、図１４に示す如く、２個の柱省略建物ユニット１２それぞれの柱省略コーナー部を柱省略接合部１４にて互いに突き合せ載置し、他の１個の標準建物ユニット１１をそれら２個の柱省略建物ユニット１２の柱省略接合部１４を含む同一面内で該柱省略接合部１４の両側に渡るように隣接配置し、それら２個の柱省略建物ユニット１２と１個の標準建物ユニット１１とによって柱２１に遮られることのない広く連続した居室空間を形成するものとしている。以下、２個の柱省略建物ユニット１２と１個の標準建物ユニット１１との接合構造について説明する。
【００６４】
ユニット建物１０の下階部分１０Ａにおいて、２個の柱省略建物ユニット１２の柱省略接合部１４は、下階補強梁３０にて補強される。下階補強梁３０は、図１４に示す如く、長尺板材からなり、柱省略接合部１４の左右の一方側にて相隣る２個の建物ユニット１２、１１の天井梁２３、２３の間から、左右の他方側にて相隣る２個の建物ユニット１２、１１の天井梁２３、２３の間に渡って設けられる。
【００６５】
下階補強梁３０の両端部は、図１４に示す如く、柱省略接合部１４の左右の一方側にて相隣る２個の建物ユニット１２、１１の各柱２１と、柱省略接合部１４の他方側にて相隣る２個の建物ユニット１２、１１の各柱２１のそれぞれに接続される。このとき、補強梁３０の両端部は、高力ボルト３１を用いた天井梁２３、ジョイントピース２３Ａとの高力ボルト接合（摩擦接合）を介して柱２１に接続される。
【００６６】
補強梁３０の中央部には、図１４に示す如く、２個の建物ユニット１２の各柱省略コーナー部と１個の建物ユニット１１の天井梁中間部のそれぞれが接続される。このとき、補強梁３０の中央部は、高力ボルト３２を用いた天井梁２３、ジョイントピース２３Ｂとの接合を介して短柱２５に接続される。
【００６７】
補強梁３０が上述の如くにて柱２１、短柱２５に接続されるとき、各建物ユニット１２の柱省略コーナー部には短柱２５に着脱自在の仮柱２６が未だ接合されている。そして、補強梁３０が柱２１、短柱２５に接続完了した後、仮柱２６は短柱２５から取外される。
【００６８】
尚、補強梁３０は、補強梁３０を挟んで相隣る２個の建物ユニット１２、１１の相接する天井梁２３、２３と、ジョイントピース２３Ａ、２３Ｂのない部分でも、ボルト等を用いて接合されて良い。
【００６９】
尚、第３実施形態の２個の柱省略建物ユニット１２と１個の標準建物ユニット１１とから広く連続した居室空間を形成してなるユニット建物１０にあっては、図１４の接合構造によらず、図１５の接合構造を採用するものであっても良い。図１５では、図１４で用いた長尺の下階補強梁３０を用いず、補強板５０を用いた。即ち、（ａ）  柱省略接合部１４の左右の一方側にて相隣る２個の建物ユニット１２、１１の各柱２１に一体のジョイントピース２３Ａが補強板５０を介して高力ボルト接合され、（ｂ）  柱省略接合部１４の左右の他方側にて相隣る２個の建物ユニット１２、１１の各柱２１に一体のジョイントピース２３Ａが補強板５０を介して高力ボルト接合され、（ｃ）  ２個の建物ユニット１２の各柱省略コーナー部と１個の建物ユニット１１の天井梁中間部とが補強板５０を介して高力ボルト接合される。
【００７０】
また、第３実施形態のユニット建物１０においても、第１実施形態と同様に、（ａ）  下階補強梁の成の高さを上階部分１０Ｂの床梁にまで延在させる構造、（ｂ）  上階部分１０Ｂの天井梁に上階補強梁を設ける構造、（ｃ）  上階部分１０Ｂも柱省略し、その柱省略接合部を上階補強梁により補強する構造を採用できる。
【００７１】
（第４実施形態）（図１６）
第４実施形態において、ユニット建物１０は、下階部分１０Ａの一部にて、図１６に示す如く、２個の柱省略建物ユニット１２それぞれの柱省略コーナー部を柱省略接合部１４にて互いに突き合せ載置し、それら２個の柱省略建物ユニット１２によって柱２１に遮られることのない広く連続した居室空間を形成するものとしている。以下、２個の柱省略建物ユニット１２の接合構造について説明する。
【００７２】
ユニット建物１０の下階部分１０Ａにおいて、２個の柱省略建物ユニット１２の柱省略接合部１４は、下階補強梁３０にて補強される。下階補強梁３０は、図１６に示す如く、長尺板材からなり、柱省略接合部１４の左右の一方側の建物ユニット１２の天井梁２３の側から、左右の他方側の建物ユニット１２の天井梁２３の側に渡って設けられる。
【００７３】
下階補強梁３０の両端部は、図１６に示す如く、柱省略接合部１４の左右の一方側の建物ユニット１２の柱２１と、柱省略接合部１４の他方側の建物ユニット１２の柱２１のそれぞれに接続される。このとき、補強梁３０の両端部は、高力ボルト３１を用いた天井梁２３、ジョイントピース２３Ａとの高力ボルト接合（摩擦接合）を介して柱２１に接続される。
【００７４】
補強梁３０の中央部には、図１６に示す如く、２個の建物ユニット１２の各柱省略コーナー部が接続される。このとき、補強梁３０の中央部は、高力ボルト３２を用いた天井梁２３、ジョイントピース２３Ｂとの接合を介して短柱２５に接続される。
【００７５】
補強梁３０が上述の如くにて柱２１、短柱２５に接続されるとき、各建物ユニット１２の柱省略コーナー部には短柱２５に着脱自在の仮柱２６が未だ接合されている。そして、補強梁３０が柱２１、短柱２５に接続完了した後、仮柱２６は短柱２５から取外される。
【００７６】
尚、補強梁３０は、補強梁３０に相接する天井梁２３と、ジョイントピース２３Ａ、２３Ｂのない部分でも、ボルト等を用いて接合されて良い。
【００７７】
また、第４実施形態のユニット建物１０においても、第１実施形態と同様に、（ａ）  下階補強梁の成の高さを上階部分１０Ｂの床梁にまで延在させる構造、（ｂ）  上階部分１０Ｂの天井梁に上階補強梁を設ける構造、（ｃ）  上階部分１０Ｂも柱省略し、その柱省略接合部を上階補強梁により補強する構造を採用できる。
【００７８】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、補強梁は、板材、Ｔ形材に限らず、角管（図１２）、Ｈ形材、Ｃ形材等であっても良い。また、補強梁は相隣る２個の建物ユニットの天井梁間に貫通ボルトにて一挙に接合されるものでなく、補強梁の一面側に１つのボルトで一方の天井梁を接合し、補強梁の他面側に他のボルトで他方の天井梁を接合するものであっても良い。また、補強梁は、ボルトにより天井梁に接合するものでなく、溶接等の他の手段により天井梁に接合されるものであっても良い。
【００７９】
【発明の効果】
以上のように本発明によれば、ユニット建物において、梁下天井高を低くすることなく、柱省略した広い連続空間を形成し、施工性も良好とすることができる。
【図面の簡単な説明】
【図１】図１はユニット建物と建物ユニットを示す模式図である。
【図２】図２は下階建物ユニットへの補強梁接続過程を示す模式図である。
【図３】図３は下階補強梁を示す模式図である。
【図４】図４は下階補強構造を示す模式図である。
【図５】図５は下階補強梁の端部接続構造を示す模式図である。
【図６】図６は下階補強梁の中央部接続構造を示す模式図である。
【図７】図７は上階建物ユニットの搭載構造を示す模式図である。
【図８】図８は上階建物ユニットへの補強梁接続過程を示す模式図である。
【図９】図９は上階補強梁を示す模式図である。
【図１０】図１０は上階補強梁の作用を示す模式図である。
【図１１】図１１は上階補強構造を示す模式図である。
【図１２】図１２は補強梁の変形例を示す模式図である。
【図１３】図１３は第２実施形態のユニット建物を示す模式図である。
【図１４】図１４は第３実施形態のユニット建物を示す模式図である。
【図１５】図１５は第３実施形態のユニット建物の変形構造を示す模式図である。
【図１６】図１６は第４実施形態のユニット建物を示す模式図である。
【符号の説明】
１０  ユニット建物
１１  標準建物ユニット
１２  柱省略建物ユニット
１４  柱省略接合部
２１  柱
２２  床梁
２３  天井梁
２５  短柱
２６  仮柱
２３Ａ、２３Ｂ  ジョイントピース
３０  下階補強梁
４０  上階補強梁
３１、３２、３３、４１、４２  高力ボルト
【図１】
0003574625.tif 000002
【図２】
0003574625.tif 000003
【図３】
0003574625.tif 000004
【図４】
0003574625.tif 000005
【図５】
0003574625.tif 000006
【図６】
0003574625.tif 000007
【図７】
0003574625.tif 000008
【図８】
0003574625.tif 000009
【図９】
0003574625.tif 000010
【図１０】
0003574625.tif 000011
【図１１】
0003574625.tif 000012
【図１２】
0003574625.tif 000013
【図１３】
0003574625.tif 000014
【図１４】
0003574625.tif 000015
【図１５】
0003574625.tif 000016
【図１６】
0003574625.tif 000017